(57)【要約】      （修正有）【課題】配向性チャット機能を有するスマートヘッドフォン装置パーソナライズシステム及びその使用方法を提供する。【解決手段】マトリックス受音ユニット４８は指向性を有する複数の受音マイク４８１を備えると共に前記スマートヘッドフォン装置４００の支持部材４０１に固設され、使用者からの真正面の音声を受音させる。使用者はスマートヘッドフォン装置のパーソナライズシステムを利用して個人専用のスマートヘッドフォン装置を構築する。使用者がパーソナライズされたスマートヘッドフォン装置を着用して携帯音楽プレーヤー等の音声信号を再生可能なあらゆる装置に接続して音楽や放送を聴く際に、使用者の両耳の聴力差を解消する。また、音楽の周波数を、使用者の好みの設定に基づいて調整する。また、配向性チャット機能により使用者の真正面にいるチャット相手の音声を増幅し、使用者が相手が話す内容をクリアに聴き取ることを可能にする。【選択図】図７
2019004464.tif 000002
【特許請求の範囲】
【請求項１】
内部にヘッドフォンパーソナライズアプリケーションユニットが保存され、前記ヘッドフォンパーソナライズアプリケーションユニットは使用者が対応するデータを入力して登録するために用いられる登録モジュールと、前記使用者が聴力検査を行って検査結果を生成させるための聴力検査モジュールと、前記使用者が前記検査結果に対して手動補正を行うための手動補正モジュールと、前記使用者が個人の好みに合わせて音響効果モードを調整可能にし、設定完了後に前記使用者の聴力に適合するパーソナライズ設定を形成させるお好み設定モジュールと、前記使用者がスマートヘッドフォン装置により提供される機能を選択可能にし、前記機能は配向性チャット機能を有する機能選択モジュールと、を含むサーバー装置と、
第１送信ユニットによりネットワークに接続される携帯装置であって、前記サーバー装置により前記ヘッドフォンパーソナライズアプリケーションユニットがダウンロードされると共に前記携帯装置にインストールされる携帯装置と、
前記スマートヘッドフォン装置と、を備え、
前記スマートヘッドフォン装置は、
中央処理装置と、
前記中央処理装置に電気的に接続される第２送信ユニットであって、前記第２送信ユニットが前記第１送信ユニットとペアリングされ、前記携帯装置から伝送された命令を受信させると共に前記中央処理装置に伝送させ、前記中央処理装置により前記命令が対応する信号に変換される第２送信ユニットと、
前記中央処理装置に電気的に接続されるヘッドフォンユニットであって、前記ヘッドフォンユニットから前記対応する信号が発信されて前記使用者に聴かせるヘッドフォンユニットと、
前記中央処理装置に電気的に接続され、且つ前記聴力検査モジュールにより生成される検査結果に基づいて自動補正を行う自動補正ユニットと、
前記中央処理装置に電気的に接続され、前記パーソナライズ設定が内部に保存されるストレージユニットと、
前記中央処理装置に電気的に接続され、前記スマートヘッドフォン装置に必要な電力を供給する給電ユニットと、
環境ノイズを収集して環境ノイズの検出を行うための少なくとも１つのノイズサンプリングユニットと、
前記中央処理装置に電気的に接続され、且つ前記スマートヘッドフォン装置に設置されると共に前記使用者の真正面に向けられ、前記使用者の真正面から発せられる音声の受音に用いられる少なくとも１つのマトリックス受音ユニットと、
前記ノイズサンプリングユニット、前記マトリックス受音ユニット、及び前記中央処理装置にそれぞれ電気的に接続され、前記環境のノイズを第１信号に変換させ、前記使用者からの真正面の音声を第２信号に変換させ、且つ前記第１信号及び前記第２信号を共に前記中央処理装置に伝送させる信号処理ユニットと、
前記中央処理装置及び前記ヘッドフォンユニットに電気的に接続され、前記第２信号を増強させた後に前記ヘッドフォンユニットに送信させ、前記ヘッドフォンユニットから再生させることにより前記使用者が前記使用者の真正面から発せられる音声をクリアに聴き取れるようにする信号増強ユニットと、を具備することを特徴とする、
配向性チャット機能を有するスマートヘッドフォン装置パーソナライズシステム。
【請求項２】
前記マトリックス受音ユニットは指向性を有する複数の受音マイクを備えると共に前記スマートヘッドフォン装置の支持部材に固設され、前記使用者の真正面から発せられる音声の受音に用いられることを特徴とする請求項１に記載の配向性チャット機能を有するスマートヘッドフォン装置パーソナライズシステム。
【請求項３】
前記受音マイクはハート形指向性マイクであることを特徴とする請求項２に記載の配向性チャット機能を有するスマートヘッドフォン装置パーソナライズシステム。
【請求項４】
前記スマートヘッドフォン装置は耳覆い型ブルートゥース（登録商標）ヘッドフォンであることを特徴とする請求項１または２に記載の配向性チャット機能を有するスマートヘッドフォン装置パーソナライズシステム。
【請求項５】
前記スマートヘッドフォン装置は、前記中央処理装置に電気的に接続されると共に前記スマートヘッドフォン装置の現在地を取得させ、且つ前記中央処理装置に出力させるための衛星測位ユニットを更に備えることを特徴とする請求項１に記載の配向性チャット機能を有するスマートヘッドフォン装置パーソナライズシステム。
【請求項６】
前記登録モジュールは、前記使用者が入力するための少なくとも１つのデータ欄が設定されることを特徴とする請求項１に記載の配向性チャット機能を有するスマートヘッドフォン装置パーソナライズシステム。
【請求項７】
前記データはユーザー名と、パスワードと、パスワード再入力と、性別と、年齢と、職業と、前記スマートヘッドフォン装置のシリアルナンバーとを含むことを特徴とする請求項６に記載の配向性チャット機能を有するスマートヘッドフォン装置パーソナライズシステム。
【請求項８】
前記スマートヘッドフォン装置により提供される機能としてイージーリスニング機能を更に含むことを特徴とする請求項１に記載の配向性チャット機能を有するスマートヘッドフォン装置パーソナライズシステム。
【請求項９】
使用者がサーバー装置によりヘッドフォンパーソナライズアプリケーションユニットをダウンロードすると共に携帯装置にインストールし、且つ前記携帯装置とスマートヘッドフォン装置とをペアリングさせることでペアリングプロセスが完了する工程１と、
登録プロセスが実行され、前記使用者が前記携帯装置の登録モジュールに対応するデータを入力する工程２と、
聴力検査プロセスが実行され、前記使用者が前記スマートヘッドフォン装置を着用すると共に前記携帯装置の聴力検査モジュールにより前記使用者の左右両耳の聴力検査が行われ、検査結果を生成させる工程３と、
聴覚補正プロセスが実行され、まず前記スマートヘッドフォン装置の自動補正ユニットにより前記検査結果に対する自動補正が行われ、その後に前記使用者が前記携帯装置の手動補正モジュールを用いて補正を行う工程４と、
お好み設定プロセスが実行され、前記使用者が個人の好みに合わせて前記携帯装置のお好み設定モジュールを使用して音響効果モードの調整を行い、設定が完了した後に前記スマートヘッドフォン装置のパーソナライズが完成する工程５と、
機能選択プロセスが実行され、前記使用者が機能選択モジュールを使用して前記スマートヘッドフォン装置が提供する機能として配向性チャット機能を選択した場合、パーソナライズが完成したスマートヘッドフォン装置は前記スマートヘッドフォン装置に設置される少なくとも１つのマトリックス受音ユニットにより前記使用者からの真正面から発せられる音声を受音させ、且つ信号処理ユニットにより第２信号に変換させ、中央処理装置により前記第２信号が信号増強ユニットに伝送されて増強され、ヘッドフォンユニットから再生され、前記使用者が前記使用者の真正面から発せられる音声をクリアに聴き取れるようになる工程６と、を少なくとも含むことを特徴とする、
配向性チャット機能を有するスマートヘッドフォン装置パーソナライズシステムの使用方法。
【請求項１０】
前記マトリックス受音ユニットは指向性を有する複数の受音マイクを備えると共に前記スマートヘッドフォン装置の支持部材に固設され、前記使用者の真正面から発せられる音声の受音に用いられることを特徴とする請求項９に記載の配向性チャット機能を有するスマートヘッドフォン装置パーソナライズシステムの使用方法。
【請求項１１】
前記受音マイクはハート形指向性マイクであることを特徴とする請求項１０に記載の配向性チャット機能を有するスマートヘッドフォン装置パーソナライズシステムの使用方法。
【請求項１２】
前記スマートヘッドフォン装置は耳覆い型ブルートゥースヘッドフォンであることを特徴とする請求項９または１０に記載の配向性チャット機能を有するスマートヘッドフォン装置パーソナライズシステムの使用方法。
【請求項１３】
前記登録モジュール前記使用者が入力するための少なくとも１つのデータ欄が設定されることを特徴とする請求項９に記載の配向性チャット機能を有するスマートヘッドフォン装置パーソナライズシステムの使用方法。
【請求項１４】
前記データはユーザー名と、パスワードと、パスワード再入力と、性別と、年齢と、職業と、前記スマートヘッドフォン装置のシリアルナンバーとを含むことを特徴とする請求項１３に記載の配向性チャット機能を有するスマートヘッドフォン装置パーソナライズシステムの使用方法。
【請求項１５】
前記聴力検査プロセスは準備状態及び検査状態を更に含むことを特徴とする請求項９に記載の配向性チャット機能を有するスマートヘッドフォン装置パーソナライズシステムの使用方法。
【請求項１６】
前記準備状態では、前記スマートヘッドフォン装置の音量が最低まで下げられ、且つ前記スマートヘッドフォン装置のノイズサンプリングユニットが所定の位置に調整されて環境ノイズの検出を行い、前記スマートヘッドフォン装置の信号処理ユニットにより前記環境ノイズが第１信号に変換されて前記スマートヘッドフォン装置の中央処理装置に伝送され、前記スマートヘッドフォン装置の第２送信ユニットにより前記第１信号が前記携帯装置に伝送され、前記環境ノイズが既定値より低いことが検出された場合、前記検査状態に切り換えられ、反対に、前記環境ノイズが前記既定値より高いことが検出された場合、前記検査状態に切り換えられないことを特徴とする請求項１５に記載の配向性チャット機能を有するスマートヘッドフォン装置パーソナライズシステムの使用方法。
【請求項１７】
前記検査状態では、前記使用者は前記スマートヘッドフォン装置を使用して前記携帯装置から発せられた音声の聴き取りを行い、前記使用者は毎回片方の耳で前記音声を聴き取り、前記使用者が前記音声を聴き取った場合は前記携帯装置の確認ボタンを押して確認メッセージを発信させ、且つ前記携帯装置が前記音声とは異なる周波数または音量の音声を発生させ、複数回検査を行った後、前記携帯装置に前記検査結果が表示され、且つ同時に前記検査結果がストレージユニットに保存されると共に前記携帯装置により前記サーバー装置にアップロードされて保存されることを特徴とする請求項１６に記載の配向性チャット機能を有するスマートヘッドフォン装置パーソナライズシステムの使用方法。
【請求項１８】
前記使用者が両耳の検査を完了して前記検査結果が生成された後、前記聴覚補正プロセスが実行され、前記聴覚補正プロセスは聴覚曲線補正と、聴覚閾値感度補正と、平衡補正と、音源位置補正とを更に含み、前記聴覚曲線補正及び前記聴覚閾値感度補正では前記自動補正ユニットによる自動補正が行われ、前記平衡補正及び前記音源位置補正では前記使用者が前記手動補正モジュールを使用して補正を行うことを特徴とする請求項１７に記載の配向性チャット機能を有するスマートヘッドフォン装置パーソナライズシステムの使用方法。
【請求項１９】
前記音響効果モードはニュースモードと、クラシックモードと、ポップモードと、ロックモードと、重低音モードとを含み、前記使用者が選択可能であることを特徴とする請求項９に記載の配向性チャット機能を有するスマートヘッドフォン装置パーソナライズシステムの使用方法。
【請求項２０】
前記スマートヘッドフォン装置により提供される機能としてイージーリスニング機能を更に含むことを特徴とする請求項９に記載の配向性チャット機能を有するスマートヘッドフォン装置パーソナライズシステムの使用方法。
【発明の詳細な説明】
【技術分野】
【０００１】
本発明は、スマートヘッドフォン装置パーソナライズシステム及びその使用方法に関し、より詳しくは、使用者の聴力及び好みに合わせて使用者専用にパーソナライズ可能なスマートヘッドフォン装置であり、且つパーソナライズされたスマートヘッドフォン装置が使用者に配向性チャット機能を提供する配向性チャット機能を有するスマートヘッドフォン装置パーソナライズシステム及びその使用方法に関する。
【背景技術】
【０００２】
ネットワーク技術の不断の発展に伴い、より多くの人々が個人用の携帯装置を利用してオンラインで直接音楽を聴いたり、音楽ファイルを個人用携帯装置にダウンロードして聴くようになっている。人々が他人の邪魔にならずにいつでもどこでも音楽を聴けるようにするためのヘッドフォン装置が個人用携帯装置の必需品となっている。
【発明の概要】
【発明が解決しようとする課題】
【０００３】
しかしながら、人々はヘッドフォン装置の再生音量を調整することで音楽をクリアかつ快適に聴くという目的を達成させているが、従来のヘッドフォン装置は使用者が左右両耳の再生音量を同時に調整する機能のみを提供しており、左右両耳の聴力には左右両目の視力と同様に差があるということを考慮していない。よって、聴力の違いに合わせて再生音量を調整可能にし、聴力障害に陥らないようにすることが求められている。然しながら、使用時に毎回左右両耳の再生音量の調整を行うことは使用者にとって非常に不便であった。
【０００４】
このほか、各個人の聴覚の感受性にも差異があり、高音域の音が好きな人もいれば重低音が好きない人もいる。だが、従来のヘッドフォン装置は使用者の需要に応じて調整を行うことができない。
【０００５】
さらに、人々が対面してチャットを行う場合、環境ノイズの影響を受けて相手が話す内容をクリアに聴き取ることができなくなり、相手に何度も同じ話をしてもらわなければならなくなることがあり、チャットに不便であった。
【０００６】
そこで、本発明者は上記の欠点が改善可能と考え、鋭意研究した結果、使用者の聴力及び好みに合わせて使用者専用にパーソナライズ可能なスマートヘッドフォン装置及びパーソナライズされたスマートヘッドフォン装置が使用者に配向性チャット機能を提供する配向性チャット機能を有するスマートヘッドフォン装置パーソナライズシステム及びその使用方法を見出した。
【０００７】
かかる従来の実情に鑑みて、本発明は、配向性チャット機能を有するスマートヘッドフォン装置パーソナライズシステム及びその使用方法を提供することを主目的とする。つまり、サーバー装置、ヘッドフォンパーソナライズアプリケーションユニット、携帯装置、及びスマートヘッドフォン装置の使用方法を使用者の聴力及び好みに合わせて使用者専用にパーソナライズ可能なスマートヘッドフォン装置を提供する。
使用者がパーソナライズされたスマートヘッドフォン装置を着用して音楽や放送を聴く際に、使用者の両耳の聴力差の問題が解決済みであるため毎回音量を調整する必要が無くなり、使用者が両耳で不適当な音量で音楽を聴くことによる聴力障害の発生を回避させる。また、音楽の周波数を使用者の好みの設定に基づいて調整させることにより、使用者がリラックスした環境で快適に音楽を聴くことができるようになる。更に、パーソナライズされたスマートヘッドフォン装置の配向性チャット機能により使用者の真正面にいるチャット相手の音声が増幅され、使用者が相手が話す内容をクリアに聴き取れるようになり、チャットの利便性が向上する。
【課題を解決するための手段】
【０００８】
上述した課題を解決し、目的を達成するための本発明に係る配向性チャット機能を有するスマートヘッドフォン装置パーソナライズシステムの特徴は、内部にヘッドフォンパーソナライズアプリケーションユニットが保存され、前記ヘッドフォンパーソナライズアプリケーションユニットは使用者が対応するデータを入力して登録するために用いられる登録モジュールと、前記使用者が聴力検査を行って検査結果を生成させるための聴力検査モジュールと、前記使用者が前記検査結果に対して手動補正を行うための手動補正モジュールと、前記使用者が個人の好みに合わせて音響効果モードを調整可能にし、設定完了後に前記使用者の聴力に適合するパーソナライズ設定を形成させるお好み設定モジュールと、前記使用者がスマートヘッドフォン装置により提供される機能を選択可能にし、前記機能は配向性チャット機能を有する機能選択モジュールとを含むサーバー装置と、第１送信ユニットによりネットワークに接続される携帯装置であって、前記サーバー装置により前記ヘッドフォンパーソナライズアプリケーションユニットがダウンロードされると共に前記携帯装置にインストールされることと、前記スマートヘッドフォン装置とを備える。前記スマートヘッドフォン装置は、中央処理装置と、前記中央処理装置に電気的に接続される第２送信ユニットであって、前記第２送信ユニットが前記第１送信ユニットとペアリングされ、前記携帯装置から伝送された命令を受信させると共に前記中央処理装置に伝送させ、前記中央処理装置により前記命令が対応する信号に変換されることと、前記中央処理装置に電気的に接続されるヘッドフォンユニットであって、前記ヘッドフォンユニットから前記対応する信号が発信されて前記使用者に聴かせることと、前記中央処理装置に電気的に接続され、且つ前記聴力検査モジュールにより生成される検査結果に基づいて自動補正を行う自動補正ユニットと、前記中央処理装置に電気的に接続され、前記パーソナライズ設定が前記ストレージユニット内に保存されるストレージユニットと、前記中央処理装置に電気的に接続され、前記スマートヘッドフォン装置に必要な電力を供給する給電ユニットと、環境ノイズを収集して環境ノイズの検出を行うための少なくとも１つのノイズサンプリングユニットと、前記中央処理装置に電気的に接続され、且つ前記スマートヘッドフォン装置に設置されると共に前記使用者の真正面に向けられ、前記使用者の真正面から発せられる音声の受音に用いられる少なくとも１つのマトリックス受音ユニットと、前記ノイズサンプリングユニット、前記マトリックス受音ユニット、及び前記中央処理装置にそれぞれ電気的に接続され、前記環境のノイズを第１信号に変換させ、前記使用者からの真正面の音声を第２信号に変換させ、且つ前記第１信号及び前記第２信号を共に前記中央処理装置に伝送させる信号処理ユニットと、前記中央処理装置及び前記ヘッドフォンユニットに電気的に接続され、前記第２信号を増強させた後に前記ヘッドフォンユニットに送信させ、前記ヘッドフォンユニットから再生させることにより前記使用者が前記使用者の真正面から発せられる音声をクリアに聴き取れるようにする信号増強ユニットとを具備する。
【０００９】
上述の実施形態において、前記マトリックス受音ユニットは指向性を有する複数の受音マイクを備えると共に前記スマートヘッドフォン装置の支持部材に固設され、前記使用者の真正面から発せられる音声の受音に用いられる。
【００１０】
上述の実施形態において、これら前記受音マイクはハート形指向性マイクである。
【００１１】
上述の実施形態において、前記スマートヘッドフォン装置は耳覆い型ブルートゥース（登録商標）ヘッドフォンである。
【００１２】
上述の実施形態において、前記スマートヘッドフォン装置は、前記中央処理装置に電気的に接続されると共に前記スマートヘッドフォン装置の現在地を取得させ、且つ前記中央処理装置に出力させるための衛星測位ユニットを更に備える。
【００１３】
上述の実施形態において、前記登録モジュールは前記使用者が入力するための少なくとも１つのデータ欄が設定される。
【００１４】
上述の実施形態において、前記データはユーザー名と、パスワードと、パスワード再入力と、性別と、年齢と、職業と、前記スマートヘッドフォン装置のシリアルナンバーとを含む。
【００１５】
上述の実施形態において、前記スマートヘッドフォン装置により提供される機能はイージーリスニング機能を更に含む。
【００１６】
また、本発明に係る配向性チャット機能を有するスマートヘッドフォン装置パーソナライズシステムの使用方法は、使用者がサーバー装置によりヘッドフォンパーソナライズアプリケーションユニットをダウンロードすると共に携帯装置にインストールし、且つ前記携帯装置とスマートヘッドフォン装置とをペアリングさせることでペアリングプロセスが完了する工程１と、登録プロセスが実行され、前記使用者が前記携帯装置の登録モジュールに対応するデータを入力する工程２と、聴力検査プロセスが実行され、前記使用者が前記スマートヘッドフォン装置を着用すると共に前記携帯装置の聴力検査モジュールにより前記使用者の左右両耳の聴力検査が行われ、検査結果を生成させる工程３と、聴覚補正プロセスが実行され、まず前記スマートヘッドフォン装置の自動補正ユニットにより前記検査結果に対する自動補正が行われ、その後に前記使用者が前記携帯装置の手動補正モジュールを用いて補正を行う工程４と、お好み設定プロセスが実行され、前記使用者が個人の好みに合わせて前記携帯装置のお好み設定モジュールを使用して音響効果モードの調整を行い、設定が完了した後に前記スマートヘッドフォン装置のパーソナライズが完成する工程５と、機能選択プロセスが実行され、前記使用者が機能選択モジュールを使用して前記スマートヘッドフォン装置が提供する機能として配向性チャット機能を選択した場合、パーソナライズが完成したスマートヘッドフォン装置は前記スマートヘッドフォン装置に設置される少なくとも１つのマトリックス受音ユニットにより前記使用者からの真正面から発せられる音声を受音させ、且つ信号処理ユニットにより第２信号に変換させ、中央処理装置により前記第２信号が信号増強ユニットに伝送されて増強され、ヘッドフォンユニットから再生され、前記使用者が前記使用者の真正面から発せられる音声をクリアに聴き取れるようになる工程６とを少なくとも含む。
【００１７】
上述の実施形態において、前記マトリックス受音ユニットは指向性を有する複数の受音マイクを備えると共に前記スマートヘッドフォン装置の支持部材に固設され、前記使用者の真正面から発せられる音声の受音に用いられる。
【００１８】
上述の実施形態において、これら前記受音マイクはハート形指向性マイクである。
【００１９】
上述の実施形態において、前記スマートヘッドフォン装置は耳覆い型ブルートゥースヘッドフォンである。
【００２０】
上述の実施形態において、前記登録モジュールは前記使用者が入力するための少なくとも１つのデータ欄が設定される。
【００２１】
上述の実施形態において、前記データはユーザー名と、パスワードと、パスワード再入力と、性別と、年齢と、職業と、前記スマートヘッドフォン装置のシリアルナンバーとを含む。
【００２２】
上述の実施形態において、前記聴力検査プロセスは準備状態及び検査状態を更に含む。
【００２３】
上述の実施形態において、前記準備状態では、前記スマートヘッドフォン装置の音量が最低まで下げられ、且つ前記スマートヘッドフォン装置のノイズサンプリングユニットが所定の位置に調整されて環境ノイズの検出を行い、前記スマートヘッドフォン装置の信号処理ユニットにより前記環境ノイズが第１信号に変換されて前記スマートヘッドフォン装置の中央処理装置に伝送され、前記スマートヘッドフォン装置の第２送信ユニットにより前記第１信号が前記携帯装置に伝送され、前記環境ノイズが既定値より低いことが検出された場合、前記検査状態に切り換えられ、反対に、前記環境ノイズが前記既定値より高いことが検出された場合、前記検査状態に切り換えられない。
【００２４】
上述の実施形態において、前記検査状態では、前記使用者は前記スマートヘッドフォン装置を使用して前記携帯装置から発せられた音声の聴き取りを行い、前記使用者は毎回片方の耳で前記音声を聴き取り、前記使用者が前記音声を聴き取った場合は前記携帯装置の確認ボタンを押して確認メッセージを発信させ、且つ前記携帯装置會が前記音声とは異なる周波数または音量の音声を発生させ、複数回検査を行った後、前記携帯装置に前記検査結果が表示され、且つ同時に前記検査結果が前記ストレージユニットに保存されると共に前記携帯装置により前記サーバー装置にアップロードされて保存される。
【００２５】
上述の実施形態において、前記使用者が両耳の検査を完了して前記検査結果が生成された後、前記聴覚補正プロセスが実行され、前記聴覚補正プロセスは聴覚曲線補正と、聴覚閾値感度補正と、平衡補正と、音源位置補正とを更に含み、前記聴覚曲線補正及び前記聴覚閾値感度補正では前記自動補正ユニットによる自動補正が行われ、前記平衡補正及び前記音源位置補正では前記使用者が前記手動補正モジュールを使用して補正を行う。
【００２６】
上述の実施形態において、前記音響効果モードはニュースモードと、クラシックモードと、ポップモードと、ロックモードと、重低音モードとを含み、前記使用者が選択可能である。
【００２７】
上述の実施形態において、前記スマートヘッドフォン装置により提供される機能としてイージーリスニング機能を更に含む。
【図面の簡単な説明】
【００２８】
【図１】本発明の一実施形態に係る配向性チャット機能を有するスマートヘッドフォン装置パーソナライズシステムの組織を示す概略図である。
【図２】本発明のヘッドフォンパーソナライズアプリケーションユニットの機能モジュールを示す概略図である。
【図３】図２に示す登録モジュールの実施形態を示す概略図である。
【図４Ａ】図２に示す聴力検査モジュールの実施形態を示す概略図である。
【図４Ｂ】図２に示す聴力検査モジュールの実施形態を示す概略図である。
【図４Ｃ】図２に示す聴力検査モジュールの実施形態を示す概略図である。
【図４Ｄ】図２に示す聴力検査モジュールの実施形態を示す概略図である。
【図５Ａ】図２に示す手動補正モジュールの実施形態を示す概略図である。
【図５Ｂ】図２に示す手動補正モジュールの実施形態を示す概略図である。
【図５Ｃ】図２に示す手動補正モジュールの実施形態を示す概略図である。
【図６】図２に示すお好み設定モジュールの実施形態を示す概略図である。
【図７】本発明の一実施形態に係るスマートヘッドフォン装置を示す傾斜図である。
【図８】本発明の一実施形態に係る配向性チャット機能を有するスマートヘッドフォン装置パーソナライズシステムの使用方法を示すフローチャートである。
【図９】本発明の配向性チャット機能を有するスマートヘッドフォン装置パーソナライズシステムの使用方法が機能選択モジュールを実行する場合の実施形態を示す概略図である。
【発明を実施するための形態】
【００２９】
以下、本発明を実施するための最良の形態を、実施例に基づいて詳細に説明する。なお、各実施の形態によりこの発明が限定されるものではない。
【００３０】
まず、本発明に係る配向性チャット機能を有するスマートヘッドフォン装置パーソナライズシステムを図１乃至図７に基づいて詳細に説明する
【実施例】
【００３１】
サーバー装置１００は、内部にヘッドフォンパーソナライズアプリケーションユニット２００が保存され、前記ヘッドフォンパーソナライズアプリケーションユニット２００は登録モジュール２１と、聴力検査モジュール２２と、手動補正モジュール２３と、お好み設定モジュール２４と、機能選択モジュール２５をさらに備える。
前記登録モジュール２１は使用者が対応するデータを入力して登録を行うために使用される（図３参照、前記登録モジュール２１には前記使用者が入力するための少なくとも１つのデータ欄が設定され、前記データ欄はユーザー名と、パスワードと、パスワード再入力と、性別と、年齢と、職業と、前記スマートヘッドフォン装置４００のシリアルナンバーとを含む）。前記聴力検査モジュール２２は前記使用者が聴力検査を行って検査結果を生成させるために用いられる（図４Ａ乃至図４Ｄ参照）。前記手動補正モジュール２３は前記使用者が前記検査結果に対して手動補正を行うために使用される（図５Ａ乃至図５Ｃ参照）。また、前記お好み設定モジュール２４は前記使用者が個人の好みに合わせて音響効果モードの調整を行るために用いられ（図６参照）、設定完了後に前記使用者の聴力に適合したパーソナライズ設定が形成される。さらに、前記機能選択モジュール２５は、前記使用者がスマートヘッドフォン装置４００により提供される機能を選択するために用いられる。前記機能は配向性チャット機能を含み、このほかにイージーリスニング機能を更に備える。
【００３２】
携帯装置３００（例えば、スマートフォン、タブレット端末等の携帯装置）は第１送信ユニット３１を介してネットワークに接続され、前記サーバー装置１００から前記ヘッドフォンパーソナライズアプリケーションユニット２００がダウンロードされると共に前記携帯装置３００にインストールされる。
【００３３】
前記スマートヘッドフォン装置４００は、中央処理装置４１と、前記中央処理装置４１に電気的に接続される第２送信ユニット４２を備え、前記第２送信ユニット４２により前記第１送信ユニット３１とペアリングされ、前記携帯装置３００から伝送された命令を受信させると共に前記中央処理装置４１に伝送させ、前記中央処理装置４１により前記命令が対応する信号に変換される。
【００３４】
ヘッドフォンユニット４３は、前記中央処理装置４１に電気的に接続され、前記ヘッドフォンユニット４３から前記対応する信号を発信させて前記使用者に聴かせる。
【００３５】
自動補正ユニット４４は、前記中央処理装置４１に電気的に接続されると共に前記聴力検査モジュールにより生成された検査結果に基づいて自動補正を行う。
【００３６】
ストレージユニット４５は、前記中央処理装置４１に電気的に接続され、前記パーソナライズ設定がストレージユニット４５に保存される。
【００３７】
給電ユニット４６は、前記中央処理装置４１に電気的に接続され、前記スマートヘッドフォン装置４００に必要な電力を供給させる。
【００３８】
少なくとも１つのノイズサンプリングユニット４７は、環境ノイズを収集して環境ノイズの検出を行う。
【００３９】
少なくとも１つのマトリックス受音ユニット４８は前記中央処理装置４１に電気的に接続され、且つ前記スマートヘッドフォン装置４００に設置されると共に前記使用者の真正面に向けられ、前記使用者の真正面から発せられる音声の受音に用いられる。
【００４０】
信号処理ユニット４９は、前記ノイズサンプリングユニット４７、前記マトリックス受音ユニット４８、及び前記中央処理装置４１にそれぞれ電気的に接続され、前記環境ノイズを第１信号に変換させ、前記使用者からの真正面の音声を第２信号に変換させ、且つ前記第１信号及び前記第２信号を共に前記中央処理装置４１に伝送させる。
【００４１】
信号増強ユニット５０は前記中央処理装置４１及び前記ヘッドフォンユニット４３に電気的に接続され、前記第２信号が増強された後に前記ヘッドフォンユニット４３に送信され、前記ヘッドフォンユニット４３から再生される。これにより、前記使用者が前記使用者の真正面の音声をはっきりと聞き取ることができる。
また、図７に示されるように、前記マトリックス受音ユニット４８は指向性を有する複数の受音マイク４８１（例えば、ハート形指向性マイク）を備えると共に前記スマートヘッドフォン装置４００（例えば、耳覆い型ヘッドフォン）の支持部材４０１に固設され、前記使用者からの真正面の音声を受音させる。
【００４２】
使用者は前記スマートヘッドフォン装置のパーソナライズシステムを利用して個人専用のスマートヘッドフォン装置を構築することができる。前記使用者がパーソナライズされたスマートヘッドフォン装置を着用して携帯装置、デスクトップパソコン、ノートパソコン、携帯音楽プレーヤー等の音声信号を再生可能なあらゆる装置に接続して音楽や放送を聴く際に、使用者の両耳の聴力差の問題を解決しているため、毎回音量を調整し直さずともよくなり、使用者の両耳が不適当な音量で音楽を聴くことで聴力障害に陥ることがなくなる。
また、音楽の周波数が使用者の好みの設定に基づいて調整されるので、使用者は快適な環境で音楽を聴くことができる。また、パーソナライズされたスマートヘッドフォン装置の配向性チャット機能により使用者の真正面にいるチャット相手の音声が増幅され、使用者が相手が話す内容をクリアに聴き取ることが可能になり、チャットの利便性が向上する。
【００４３】
このほか、前記スマートヘッドフォン装置４００は、前記中央処理装置４１に電気的に接続される衛星測位ユニット（図示せず）を更に備える。前記衛星測位ユニットにより前記スマートヘッドフォン装置４００の現在地が取得され、且つ前記中央処理装置４１に出力される。これにより、使用者が前記スマートヘッドフォン装置４００を着用した際に現在地を知ることができる。
【００４４】
図８は本発明の一実施形態に係る配向性チャット機能を有するスマートヘッドフォン装置パーソナライズシステムの使用方法を図示する。それは以下の工程を少なくとも含む。
【００４５】
使用者がサーバー装置を使用してヘッドフォンパーソナライズアプリケーションユニットのダウンロードを行うと共に携帯装置にインストールさせ（例えば、スマートフォン、タブレット端末等の携帯装置）、且つ前記携帯装置とスマートヘッドフォン装置とをペアリングさせてペアリングプロセスを完了させる工程１Ｓ１。
【００４６】
登録プロセスが実行され、前記使用者が前記携帯装置の登録モジュールを利用して対応するデータの入力を行う工程２Ｓ２。
【００４７】
聴力検査プロセスが実行され、前記使用者が前記スマートヘッドフォン装置を着用し、前記携帯装置の聴力検査モジュールにより前記使用者の左右の耳の聴力検査が行われると共に検査結果が生成される工程３Ｓ３。
【００４８】
聴覚補正プロセスが実行され、まず前記スマートヘッドフォン装置の自動補正ユニットにより前記検査結果に対する自動補正が行われ、前記使用者が続いて前記携帯装置の手動補正モジュールにより補正を行う工程４Ｓ４。
【００４９】
お好み設定プロセスが実行され、前記使用者が個人の好みに合わせて前記携帯装置のお好み設定モジュールにより音響効果モードの調整を行い、設定完了後に前記スマートヘッドフォン装置のパーソナライズが完了する工程５Ｓ５。
【００５０】
機能選択プロセスが実行され、前記使用者が機能選択モジュールを使用して前記スマートヘッドフォン装置が提供する機能として配向性チャット機能を選択した場合、パーソナライズが完成したスマートヘッドフォン装置は前記スマートヘッドフォン装置に設置される少なくとも１つのマトリックス受音ユニットにより前記使用者からの真正面から発せられる音声を受音させ、且つ信号処理ユニットにより第２信号に変換させ、中央処理装置により前記第２信号が信号増強ユニットに伝送されて増強され、ヘッドフォンユニットから再生され、前記使用者が前記使用者の真正面から発せられる音声をクリアに聴き取れるようになる工程６Ｓ６。
【００５１】
次に、図を参照しながら、本発明をさらに詳しく説明する。まず、前記携帯装置及び前記スマートヘッドフォン装置のペアリングプロセスが完了し、次に前記登録プロセスが実行され、前記登録モジュールには前記使用者が入力するための少なくとも１つのデータ欄が設定される（図３参照）。
また、前記データ欄はユーザー名と、パスワードと、パスワード再入力と、性別と、年齢と、職業と、前記スマートヘッドフォン装置のシリアルナンバーとを含み、使用者は上述の各データ欄の入力が完了すると登録も完了する。
【００５２】
登録プロセスの完了後、使用者の聴力検査が行われ、聴力検査プロセスが実行される。前記聴力検査プロセスは準備状態及び検査状態を更に含み、前記準備状態では（図４Ａ参照）、まず前記スマートヘッドフォン装置の音量が最低まで下げられると共に前記スマートヘッドフォン装置のノイズサンプリングユニットが所定の位置まで調整されて環境のノイズの検出が行われ、且つ前記スマートヘッドフォン装置の信号処理ユニットにより前記環境ノイズが第１信号に変換されて前記スマートヘッドフォン装置の中央処理装置に伝送され、前記スマートヘッドフォン装置の第２送信ユニットにより前記第１信号が前記携帯装置に伝送される。
検出された前記環境のノイズが低い場合は前記検査状態に切り換えられ、検出された前記環境のノイズが高い場合は前記検査状態に切り換えられない。前記検査状態に切り換えられた場合（図４Ｂ及び図４Ｃ参照）、前記使用者は前記スマートヘッドフォン装置を使用して前記携帯装置から発せられる音声信号を聴くことができ、且つ前記音声信号間の周波数または音量の違いにより、前記使用者が毎回片耳で前記音声信号を聴き、前記使用者が前記音声信号を聴き取った場合は前記携帯装置の確認ボタンを押して（図４Ｂ及び図４Ｃに示す”聴こえる”）確認メッセージを発信させる。
その後、前記携帯装置により前記音声信号とは異なる周波数または音量の音声信号が発信され、複数回の検査が行われた後、前記携帯装置に前記検査結果が表示され（図４Ｄに示す左右両耳の聴覚曲線）、同時に前記検査結果が前記ストレージユニットに保存され、前記携帯装置により前記サーバー装置にアップロードされて保存される。
【００５３】
よって、前記使用者の両耳の検査が完了して前記検査結果が生成された後、続いて聴覚補正プロセスが実行される。まず、前記スマートヘッドフォン装置の自動補正ユニットにより前記検査結果に対する自動補正が行われ、且つ聴取音量があらかじめ設定され、前記使用者は前記携帯装置の手動補正モジュールを利用して補正を行う。前記聴覚補正プロセスは聴覚曲線補正と、聴覚閾値感度補正と、平衡補正（図５Ａ参照）と、音源位置補正（図５Ｂ参照）とを更に含む。
前記聴覚曲線補正及び前記聴覚閾値感度補正では前記自動補正ユニットにより自動補正が実行され、例えば、トレンドに合わせて微調整されると共に前記ヘッドフォンパーソナライズアプリケーションユニットによりどちらの耳を基準とするか自動的に判断される。検査結果が右耳の高音域及び左耳の低音域が正常だった場合、右耳に対する低音及び左耳に対する高音の補正を行うのみでよい。前記平衡補正及び前記音源位置補正は前記使用者が前記手動補正モジュールを使用して補正を行い、使用者が音声を頭部中央の位置で発せられるように微調整を行った後、補正済の音楽及び未補正の音楽をそれぞれ再生して使用者が聴き比べられるようにし、使用者が補正機能を使用するか否かを決定させる（図５Ｃ参照）。
【００５４】
最後にお好み設定プロセスが実行され、前記使用者は個人の好みに合わせて前記携帯装置のお好み設定モジュールを使用して音響効果モードの調整を行う（図６参照）。前記音響効果モードはニュースモードと、クラシックモードと、ポップ音楽モードと、ロックンロールモードと、重低音モードとを含み、前記使用者が選択可能である。
設定完了後に前記スマートヘッドフォン装置のパーソナライズが完了する。これにより、前記使用方法により前記スマートヘッドフォン装置により前記使用者の聴力に対する矯正が実行され、使用者がパーソナライズされたスマートヘッドフォン装置を携帯装置、デスクトップパソコン、ノートパソコン、携帯音楽プレーヤー等の音声信号が再生可能なあらゆる装置に接続させて音楽や放送を聴く際に、使用者の両耳の聴力差の問題が解決されているため、毎回音量を調整し直さずともよくなり、使用者の両耳が不適当な音量で音楽を聴くことによる聴覚障害を負うことが無くなり、且つ音楽の周波数も使用者の好みの設定に基づいて調整され、使用者が快適な環境で音楽を聴けるようになり、好ましいリスニング効果が達成される。
【００５５】
前記マトリックス受音ユニットは指向性を有する複数の受音マイク（例えば、ハート形指向性マイク）を備えると共に前記スマートヘッドフォン装置（例えば、耳覆い型ヘッドフォン）の支持部材に固設される。前記使用者は前記機能選択モジュールを使用して前記スマートヘッドフォン装置により提供される機能を選択する。
図９に示されるように、前記機能として配向性チャット機能及びイージーリスニング機能を含み、使用者が切り換え可能である。配向性チャット機能では、マトリックス受音ユニットにより使用者の真正面にいるチャット相手の音声が受音され、且つ信号処理ユニットにより第２信号に変換され、中央処理装置により第２信号が信号増強ユニットに伝送されて増強され、ヘッドフォンユニットから再生される。使用者が前記使用者の真正面から発せられる音声をクリアに聴き取れるようになり、部分的な周辺の音声が無視される。
イージーリスニング機能では、ノイズサンプリングユニットにより外部の環境ノイズのサンプリングが行われた後、信号処理ユニットに伝送されて分析が行われ、前記分析信号が生成され、中央処理装置が前記分析信号に基づいて前記ヘッドフォンユニットの再生音量の調整を行う。これにより、使用者が音楽を聴いている際に環境のノイズが変化した（ノイズが大きくなる、或いは小さくなる）場合、前記スマートヘッドフォン装置が前記ヘッドフォンユニットから再生される音量を即時調整させ（音量を上げる或いは下げる）、使用者がクリアに音楽を聴けるようにする。
【００５６】
総合すると、本発明の配向性チャット機能を有するスマートヘッドフォン装置パーソナライズシステム及びその使用方法は、サーバー装置、ヘッドフォンパーソナライズアプリケーションユニット、携帯装置、及びスマートヘッドフォン装置の使用方法（ペアリング、登録、聴力検査、聴覚補正、お好み設定）が使用者の聴力及び好みに合わせて使用者専用にパーソナライズされるスマートヘッドフォン装置であり、使用者がパーソナライズされたスマートヘッドフォン装置を着用して音楽や放送を聴く場合、使用者の両耳の聴力差の問題が解決されているため、毎回音量を調整させる必要がなく、使用者の両耳が不適当な音量で音楽を聴くことによる聴覚障害を負うこともなくなる。
また、音楽の周波数は使用者の好みの設定に基づいて調整されるため、使用者は快適な環境で音楽を聴くことができる。なお、パーソナライズされたスマートヘッドフォン装置の配向性チャット機能により使用者の真正面にいるチャット相手の音声が増幅され、使用者が相手が話す内容をクリアに聴き取れるようになり、チャットの利便性が向上する。
【００５７】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５８】
１００  サーバー装置
２００  ヘッドフォンパーソナライズアプリケーションユニット
２１  登録モジュール
２２  聴力検査モジュール
２３  手動補正モジュール
２４  お好み設定モジュール
２５  機能選択モジュール
３００  携帯装置
３１  第１送信ユニット
４００  スマートヘッドフォン装置
４０１  支持部材
４１  中央処理装置
４２  第２送信ユニット
４３  ヘッドフォンユニット
４４  自動補正ユニット
４５  ストレージユニット
４６  給電ユニット
４７  ノイズサンプリングユニット
４８  マトリックス受音ユニット    
４８１  受音マイク
４９  信号処理ユニット
５０  信号増強ユニット
Ｓ１  工程１
Ｓ２  工程２
Ｓ３  工程３
Ｓ４  工程４
Ｓ５  工程５
Ｓ６  工程６
【図１】
2019004464.tif 000003
【図２】
2019004464.tif 000004
【図３】
2019004464.tif 000005
【図４Ａ】
2019004464.tif 000006
【図４Ｂ】
2019004464.tif 000007
【図４Ｃ】
2019004464.tif 000008
【図４Ｄ】
2019004464.tif 000009
【図５Ａ】
2019004464.tif 000010
【図５Ｂ】
2019004464.tif 000011
【図５Ｃ】
2019004464.tif 000012
【図６】
2019004464.tif 000013
【図７】
2019004464.tif 000014
【図８】
2019004464.tif 000015
【図９】
2019004464.tif 000016